(57)【要約】  従来よりもコンパクトなハンドル付きの内容物噴射ユニットを提供する。  容器体２１の上部に備えられたバルブ２２のステム２３に装着されて、容器体２１の内容物を噴射する内容物噴射ユニットは、噴射口３５と、ステム２３の先端が下端に挿入され、ステム２３の先端から噴射された内容物を噴射口３５まで導くステム挿入筒３１とを備える噴射操作部３０と、噴射口３５を覆うキャップ部として機能する状態と、噴射口３５を開放してハンドル部として機能する状態とに変位可能なキャップ５０とを備える。
2020039718.tif 000002
【特許請求の範囲】
【請求項１】
容器体の上部に備えられたバルブのステムに装着されて、前記容器体の内容物を噴射する内容物噴射ユニットであって、
噴射口と、前記ステムの先端が下端に挿入され、前記ステムの先端から噴射された前記内容物を前記噴射口まで導くステム挿入筒とを備える噴射操作部と、
前記噴射口を覆うキャップ部として機能する状態と、前記噴射口を開放してハンドル部として機能する状態とに変位可能なキャップと、
を備えることを特徴とする内容物噴射ユニット。
【請求項２】
前記バルブに対して着脱可能に取り付けられるキャップ基部をさらに備え、
前記キャップは、前記キャップ基部に設けられた回転軸を中心に回転することで、キャップ部として機能する状態から、ハンドル部として機能する状態へと変位することを特徴とする請求項１に記載の内容物噴射ユニット。
【請求項３】
前記キャップは、前記噴射口を覆う状態で湾曲した略長方形の上面、および、前記上面の一対の長辺と一つの短辺に接続された３つの側面を有する略筐体であり、前記一対の長辺に接続された前記側面の、前記側面が設けられていない短辺側の端部が、前記回転軸に回転可能に接続されていることを特徴とする請求項２に記載の内容物噴射ユニット。
【請求項４】
前記ステム挿入筒は、前記ステムから噴射される内容物を前記ステムの軸に沿って上方向に誘導する第１の筒部と、前記第１の筒部を通った内容物を前記ステムの軸に対して略直交する方向に誘導する第２の筒部とから構成され、前記第２の筒部の先端に前記噴射口が設けられていることを特徴とする請求項３に記載の内容物噴射ユニット。
【請求項５】
前記噴射操作部は、前記ステム挿入筒から前記噴射口の逆側方向に延在するレバーをさらに備えることを特徴とする請求項４に記載の内容物噴射ユニット。
【請求項６】
前記キャップの長手方向は、前記噴射口と前記レバーを結ぶ方向と一致することを特徴とする請求項５に記載の内容物噴射ユニット。
【請求項７】
前記キャップがハンドル部として機能する状態において、
前記キャップの長手方向は、上方から見たときに、前記噴射口と前記レバーを結ぶ方向と一致することを特徴とする請求項５または６に記載の内容物噴射ユニット。
【請求項８】
前記キャップ基部は、前記噴射操作部を収納する形状をしており、前記第２の筒部の先端が挿入される開口部を有することを特徴とする請求項５から７のいずれか１項に記載の内容物噴射ユニット。
【請求項９】
前記第２の筒部は、前記開口部に挿入されて前記開口部に接しており、前記レバーが押下されると、前記ステム挿入筒は、前記開口部と前記第２の筒部との接点を支点として回転し、前記ステムを傾かせることを特徴とする請求項８に記載の内容物噴射ユニット。
【請求項１０】
前記キャップ基部の前記開口部に向かい合う面には、孔が設けられており、前記キャップの上面の前記回転軸側の縁部は、前記キャップがハンドル部として機能する状態において、前記孔に挿入されていることを特徴とする請求項８または９に記載の内容物噴射ユニット。
【請求項１１】
前記キャップの前記回転軸側の上面には、前記キャップがハンドル部として機能する状態において、前記キャップを前記孔に挿入した状態で前記キャップ基部に対して固定するストッパが設けられていることを特徴とする請求項１０に記載の内容物噴射ユニット。
【請求項１２】
前記キャップが前記ストッパにより前記キャップ基部に対して固定されている状態は、前記噴射口を覆っている状態から１８０°以上回転した状態であることを特徴とする請求項１１に記載の内容物噴射ユニット。
【請求項１３】
前記キャップの上面の前記回転軸側の縁部には、前記一対の長辺に沿ってそれぞれ切り欠きが設けられ、前記キャップの前記上面の前記回転軸側の縁部が前記孔に挿入されたときに、前記切り欠きが前記キャップ基部の前記孔の縁に係合することを特徴とする請求項１１または１２に記載の内容物噴射ユニット。
【請求項１４】
前記上面の前記切り欠きの内側には、突起が設けられ、
前記キャップ基部は、一対の側壁を有し、前記側壁には、前記切り欠きの前記突起と係合する孔部が設けられ、
前記突起は、前記キャップの回転移動に伴い、前記孔部に係合することにより、前記ストッパとして機能することを特徴とする請求項１３に記載の内容物噴射ユニット。
【発明の詳細な説明】
【技術分野】
【０００１】
本発明は、容器内に収容された内容物を噴射する内容物噴射ユニットに関する。
【背景技術】
【０００２】
従来のエアゾール式の噴射容器は、内容物を収納する容器体と、容器体の上部のバルブとを備えている。バルブ中央には、下方移動可能で容器体内の空間と外部空間とを連通するステムが配置されている。バルブは、ステムが押し下げられると、容器体の内容物がステムを通って外部空間に噴出されるように構成されている。【０００３】
このような噴射容器から内容物を噴射させるために、ステムを押し下げる操作部を備えた内容物噴射ユニットが容器体に装着される。内容物噴射ユニットの一例として、ユーザがハンドルを把持した状態で操作部を操作し、内容物を噴射させることができる構成のものが提案されている。これにより、ユーザは、ハンドルを把持した状態でレバーやトリガーなどの操作部を操作することにより、安定して操作できるようになるとともに、噴射目標に狙いを定めやすくなる。【０００４】
ハンドル部を備える内容物噴射ユニットの例として、特許文献１には、容器体の胴部に着脱可能で、ユーザがハンドル部を把持してトリガーを指で軽く引くことにより、てこの原理でステムが押される構成の内容物噴射ユニットが開示されている。また、特許文献２には、非使用時にはハンドル部が容器体の壁面に沿って折り畳める構成の内容物噴射ユニットが開示されている。
【先行技術文献】
【特許文献】
【０００５】
【特許文献１】実開昭６０−７４７５６号公報
【特許文献２】特許第３８９７５８９号公報
【発明の概要】
【発明が解決しようとする課題】
【０００６】
特許文献１の内容物噴射ユニットは、容器体の側面から大きくはみ出すような構成である。また、特許文献２の内容物噴射ユニットは、ハンドル部が容器の非使用時に折り畳まれた状態でも容器体の側面から大きく突出する。このため、これらの内容物噴射ユニットは、容器の保管時に場所をとる。【０００７】
本発明の目的は、従来よりもコンパクトなハンドル付きの内容物噴射ユニットを提供することにある。
【課題を解決するための手段】
【０００８】
上記目的を達成するために、本発明の内容物噴射ユニットは、容器体の上部に備えられたバルブのステムに装着されて、容器体の内容物を噴射する内容物噴射ユニットであって、噴射口と、ステムの先端が下端に挿入され、ステムの先端から噴射された内容物を噴射口まで導くステム挿入筒とを備える噴射操作部と、噴射口を覆うキャップ部として機能する状態と、噴射口を開放してハンドル部として機能する状態とに変位可能なキャップと、を備える。
【発明の効果】
【０００９】
本発明は、従来よりもコンパクトなハンドル付きの内容物噴射ユニットを提供できる。
【図面の簡単な説明】
【００１０】
【図１】内容物噴射容器２０の構成例を示す（ａ）斜視図、（ｂ）断面図。
【図２】内容物噴射ユニット１０の構成例を示す（ａ）斜視図、（ｂ）側面図。
【図３】内容物噴射ユニット１０の構成例を示す（ａ）斜視図、（ｂ）側面図。
【図４】（ａ）〜（ｃ）内容物噴射ユニット１０の各部品を示す斜視図、（ｄ）キャップ基部４０の背面図。
【図５】（ａ）〜（ｃ）内容物噴射ユニット１０の動作例を示す断面図。
【図６】キャップを開いた状態の内容物噴射ユニット１０の底面図。
【発明を実施するための形態】
【００１１】
以下、本発明の一実施の形態の内容物噴射ユニットについて説明する。
まず、図１〜４を参照して、内容物噴射ユニット１０の主要な構成例について説明する。図１は、キャップ５０が閉まっている状態の内容物噴射容器２０の構成例を示している。図２はキャップ５０がやや開いた状態の内容物噴射ユニット１０の構成例を示している。図３は、キャップ５０が最も開いた状態の内容物噴射ユニット１０の構成例を示している。図４は、内容物噴射ユニット１０を構成する噴射操作部３０とキャップ基部４０とキャップ５０とを示している。
【００１２】
図１に示すように、内容物噴射ユニット１０は、内容物を収納する容器体２１の上部に備えられた、バルブ２２のステム２３に装着される。ユーザが内容物噴射ユニット１０を操作してステム２３が押下されると、容器体２１の内容物が噴射される。なお、以下の説明において、上下方向は、容器体２１のバルブ２２が取り付けられている側が上側、容器体２１の底部が下側であり、前後方向は、内容物が内容物噴射ユニット１０から噴射される側が前方、その反対側が後方である。
【００１３】
内容物噴射ユニット１０は、噴射口３５と、ステム２３の先端が下端に挿入され、ステム２３の先端から噴射された内容物を噴射口３５まで導くステム挿入筒３１とを備える噴射操作部３０と、キャップ５０とを備える。キャップ５０は、噴射口３５を覆うキャップ部として機能する状態（図１）と、噴射口３５を開放してハンドル部として機能する状態（図３）とに変位可能である。
【００１４】
このように、本実施形態の内容物噴射ユニット１０は、キャップ部を開いてハンドル部として用いることができるため、ハンドル付きの内容物噴射ユニットでありながら、ハンドル部を使用していないときにはコンパクトである。
【００１５】
内容物噴出ユニット１０は、バルブ２２に対して着脱可能に取り付けられるためのキャップ基部４０をさらに備える。キャップ基部４０には、キャップ５０の回転軸４４が設けられており、キャップ５０は、回転軸４４を中心に回転することでキャップ部として機能する状態とハンドル部として機能する状態とに変位可能である。
【００１６】
図１（ｂ）、図４（ｃ）に示すように、キャップ５０は、噴射口３５を覆う状態で、湾曲した略長方形の上面５０ａおよび上面５０ａの一対の長辺５０ａ１、５０ａ２と一つの短辺５０ａ３に接続された３つの側面５０ｂ１、５０ｂ２、５０ｂ３を有する略筐体である。キャップ５０の一対の長辺５０ａ１、５０ａ２に接続された側面５０ｂ１、５０ｂ２の、上面５０ａに接続する側面が設けられていない短辺側の端部が、回転軸４４に回転可能に接続されている。キャップ５０は、図１（ａ）の矢印Ａ１に示すように、回転軸４４を中心に内容物噴射ユニット１０の上方側を通って回転することにより、図２（ａ）、（ｂ）に示すようにキャップ基部４０に対して開く。
【００１７】
図３（ａ）、（ｂ）に示すように、開いた状態のキャップ５０は、容器体２１から突出するため、ユーザは、キャップ５０をハンドル部としてつかんで容器体２１を持ち上げたり、噴射口３５を噴射すべき方向に容易に向けたりすることができる。
【００１８】
図１（ｂ）を用いて、ステム挿入筒３１について説明する。噴射操作部３０のステム挿入筒３１は、ステムから噴射される内容物をステム２３の軸に沿って上方向に誘導する第１の筒部３１ｂと、筒部３１ｂを通った内容物をステム２３の軸に対して略直交する方向（前方）に誘導する第２の筒部３１ｃとから構成され、筒部３１ｃの先端に噴射口３５が設けられている。
【００１９】
噴射操作部３０には、ステム挿入筒３１から噴射口３５の逆側方向に延在するレバー３２がさらに備えられている。レバー３２と噴射口３５とを結ぶ方向は、キャップ５０の長手方向と一致している。図２（ａ）、図３（ａ）、図４（ａ）に示すように、レバー３２の先端（後端）には、ユーザが指をかけやすい向き（ここでは略水平）に屈折した指掛け部３３が設けられている。
【００２０】
次に図１（ａ）、（ｂ）及び図２（ａ）、（ｂ）を用いてキャップ基部４０について説明する。キャップ基部４０は、円筒状のカバー部４１と、カバー部４１の上端に設けられて噴射操作部３０を収納する形状の収納部４２とから構成される。カバー部４１は、バルブ２２のマウンテンカップ２２ｂ外周と係合することにより容器体２１に対して着脱可能である。収納部４２の底面の中央には、ステム２３の外周よりやや大きなステム貫通孔４２ｂが設けられている。ステム２３は、ステム貫通孔４２ｂ内を貫通し、キャップ基部４０の内側に突出している。
【００２１】
図２（ｂ）、図３（ｂ）に示すように、収納部４２は、上面が略矩形に開放された筐体形状であり、前後方向に平行な一対の側壁４２Ａと、側壁４２Ａに直交する一対の壁面４２Ｂ、４２Ｃとを有する。キャップ５０がキャップ基部４０に回転可能に接続される回転軸４４は、収納部４２の一対の側壁４２Ａの後端近傍に設けられている。
【００２２】
図１（ｂ）、図４（ｂ）に示すように、収納部４２の前方側の壁面４２Ｂには、開口部４６が設けられ、開口部４６には、ステム挿入筒３１の筒部３１ｃの先端がキャップ基部４０の内側から挿入されている。筒部３１ｃの先端の外周の下部は、収納部４２の開口部４６の内周の下部と接点４６ａにおいて接している。これにより、ステム挿入筒３１は、ステム２３の先端が挿入された筒部３１ｂの下端によりステム２３上に支持され、ステム挿入筒３１から延在するレバー３２を押下した場合、筒部３１ｃの先端の接点４６ａを支点として回転して、ステム２３を傾かせることができる。
【００２３】
また図１（ｂ）、図４（ｄ）に示すように、収納部４２の後方の壁面４２Ｃには、矩形の孔４５が設けられている。また、図２（ｂ）、図３（ｂ）、図４（ｂ）に示すように、収納部４２の両側壁４２Ａの後方側端部近傍には、それぞれ孔部４３が設けられている。
【００２４】
図１（ｂ）、図４（ｃ）に示すように、キャップ５０の後方端部５４には、上面５０ａの一対の長辺に沿ってそれぞれ切り欠き５２が設けられている。切り欠き５２の幅は、図４（ｂ）、図４（ｄ）に示す収納部４２の側壁４２Ａの厚みＴよりやや大きく設定されている。また一対の切り欠き５２の内側には、図４（ｃ）に示すように、突起５３がそれぞれ設けられている。
【００２５】
図５（ｂ）に示すように、キャップ５０が最大限開いてハンドル部として機能する状態では、キャップ５０の上面５０ａの後方側（回転軸４４側）の端部５４は、孔４５に挿入される。図６に示すように、このとき切り欠き５２は、キャップ基部４０の一対の側壁４２Ａの後方の縁部（孔４５の縁）に係合する。
【００２６】
キャップ５０がハンドル部として機能する状態まで回転すると突起５３は、切り欠き５２が孔４５の縁と係合した状態で、側壁４２Ａの孔部４３に係合し、キャップ５０がこれ以上開かないように固定するストッパとして機能する。このとき、キャップ５０は、噴射口３５を覆っている状態から、キャップ基部４０に対して１８０°以上回転して開いた状態となっている。
【００２７】
（内容物噴射ユニット１０の動作例）
続いて、本実施形態の内容物噴射ユニット１０の動作例を、図１、図５、図６等を用いて説明する。
【００２８】
図１（ａ）、図５（ａ）に示すように、内容物噴射ユニット１０のキャップ５０が閉じられ、キャップ基部４０の上面を覆うキャップ部として機能する状態においては、キャップ５０の前端５０Ａは、噴射口３５を覆っている。またこの状態でキャップ５０は、レバー３２も覆っているため、ユーザによりレバー３２が操作されないように規制する、噴射ロック機構としての役割も兼ね備えている。
【００２９】
また、キャップ部として機能する状態では、キャップ５０は、キャップ基部４０と同等の幅と長さであり、容器体２１から大きくはり出さず、コンパクトな形状である。
【００３０】
またこの状態では、キャップ基部４０内のステム挿入筒３１の上方とキャップ５０の下方との間に、空間５５があるため、この空間５５に噴射容器２０の取扱説明書や仕様書などの印刷物を折り畳んで収納することができる。
【００３１】
このようにキャップ５０が閉じた状態から、ユーザがキャップ５０を矢印Ａ１に示すように回転軸４４を中心にキャップ基部４０に対して上方側に回転させて、キャップ５０をキャップ基部４０に対して開くと、図２に示したように、レバー３２と噴射口３５が露出する。
【００３２】
さらにユーザがキャップ５０を回転させてキャップ基部４０に対して最大回転角まで回転させると、図３、図５（ｂ）に示すように、キャップ５０は、上面５０ａの後方の端部５４がキャップ基部４０の孔４５に挿入され、突起５３によりキャップ基部４０に対して固定されるため、ユーザがレバー３２を押下するときに把持することのできるハンドル部として機能する状態になる。具体的には、図６に示すように、キャップ５０の後方の端部５４は、孔４５に挿入され、キャップ５０の一対の切り欠き５２がキャップ基部４０の孔４５の縁に係合する。さらに切り欠き５２の突起５３は、孔部４３と係合し、ストッパとして機能する。このようにして、キャップ５０は、開いた状態でキャップ基部４０に対してこれ以上開かないように固定される。
【００３３】
この状態では、図５（ｂ）に示すように、キャップ５０は、レバー３２の後端よりも後方側であって容器体２１よりも外側に突出し、キャップ５０を上方から見たときにその長手方向が、噴射口３５とレバー３２を結ぶ方向と一致する。また、キャップ５０は、噴射口３５を覆った状態から１８０°以上開いた状態で固定される。これにより、ユーザがキャップ５０をハンドル部として把持すると、容器体２１よりも外側の広い空間で、キャップ５０を容易にハンドル部として握ることができる。またハンドル部としてのキャップ５０の長手方向が上述のように噴射口３５とレバー３２を結ぶ方向と一致しているため、噴射方向を目標位置に定めやすい。さらに、キャップ５０をハンドル部として握ったユーザの手の親指の位置が指掛け部３３の位置と一致するため、ユーザは、キャップ５０を把持しながら容易にレバー３２を押下できる。
【００３４】
この状態で、ユーザがキャップ５０を手のひらで把持しながら、例えば親指を指掛け部３３に掛けて矢印Ａ２方向にレバー３２を押下すると、図５（ｃ）に示すように、ステム挿入筒３１の噴射口３５が設けられた先端の外周の、収納部４２への接点４６ａを支点としてレバー３２がステム２３側に回転する。レバー３２の回転により、ステム挿入筒３１の下端がステム２３を押下しながら傾かせる。ステム２３が傾くことにより、容器体２１に充填されていた内容物が、ステム２３の孔２３ｂからステム挿入筒３１内を通って噴射口３５から噴射される。内容物は、ユーザがレバー３２を押し下げている間中、噴射される。また、噴射口３５が設けられたステム挿入筒３１の先端は、上記接点４６ａにより支持され、レバー３２の押下により噴射時にも下方に変位しない。このため、レバー３２の押下に伴う噴射方向のぶれを抑制できる。
【００３５】
内容物が必要量噴射されたならば、ユーザがレバー３２の指掛け部３３から指を離す等することにより、接点４６ａを支点としてレバー３２が図５（ｂ）の矢印Ａ２の反対方向に回転してステム２３を傾けていたステム挿入筒３１の下端の傾きが戻り、ステム２３が復帰する。ステム２３が復帰すると、内容物の噴出が止まる。
【００３６】
噴射後、ユーザがキャップ５０を図５（ｂ）の矢印Ａ３方向に回転させると、突起５３の孔部４３に対する係合と、側壁４２Ａの切り欠き５２に対する係合とが解除され、端部５４が孔４５から出た後、キャップ５０が閉まる。これにより、再びキャップ５０の前方側の壁が噴射口３５を覆った状態に戻る。
【００３７】
以上の通り、内容物噴射ユニット１０において、キャップ５０は、キャップ部とハンドル部との両方の機能を兼ね備えており、ハンドル部として機能するときのみ容器体２１の側面から突出した状態となり、キャップ部として機能するときには容器体２１の上部に収納されて容器体２１から突出しない状態となる。よって、ハンドル付きの内容物噴射ユニットでありながらコンパクトな構成である。
【００３８】
また、内容物噴射ユニット１０は、レバー３２の回転によりてこの原理でステム２３が押下される構成のため、ユーザが軽い力をレバー３２に加えることにより内容物を噴射させる操作を行うことができ、使いやすい。また、内容物噴射ユニット１０は、てこの力点となるレバー３２の指掛け部３３と支点となる接点４６ａが、作用点となるステム２３を挟んで前方側と後方側に位置しているため、容器体２１の側面から大きくはみ出すことなく、支点と力点が最大となるように設計された、コンパクトな内容物の噴射構造である。
【００３９】
また、回転軸４４が指掛け部３３の近くに設けられており、キャップ５０は、指掛け部３３の後方に突出する側に開くことができるため、ユーザは、キャップ５０を手のひらで把持しながら、キャップ５０を把持している手の指で指掛け部３３を押下することができる。すなわち、この内容物噴射ユニット１０では、ユーザが片方の手でレバー３２を操作し、内容物を噴射させることができる。
【００４０】
さらに内容物噴射ユニット１０は、噴射口３５をキャップ５０により覆うことができるため、容器の未使用時に噴射口３５にゴミなどが付着せず、取扱いが便利である。またキャップ５０を閉じた状態ではユーザはレバー３２を操作することができないため、キャップ５０は、噴射のロック機構も兼ね備えている。従って、ユーザは、キャップ５０を開く動作を行うだけで、ロック解除の手間なく、手早く内容物噴射容器２０を使用可能な状態にすることができる。
【００４１】
また内容物噴射ユニット１０は、噴射口３５の下にある接点４６ａを支点としてレバー３２が回転して内容物が噴射される仕組みのため、ユーザがレバー３２を回転させる際に噴射口３５が上下移動しない。このため、ユーザが目標物に対して狙いを定めて内容物を噴射させるときに、安定して操作できる上に、狙った目標物に内容物が当たりやすい。
【００４２】
［内容物噴射ユニット１０の構成の詳細とバリエーション］
以下、主に図１（ｂ）を参照して、内容物噴射ユニット１０の構成の詳細について説明する。
【００４３】
本例のステム挿入筒３１は、内壁の下端に、ステム２３の上端に係合する段差３１ａを有している。なお、ステム挿入筒３１は、ステム２３の上端に取り付けられた状態で、ある程度の力を加えないと取り外せないようになっていればこの段差３１ａは省略されてもよい。
【００４４】
レバー３２は、後方側に向かうにつれて上方に向かうように、筒部３１ｂの上端からステム２３の軸方向に対して傾けて設けられた板部であり、指掛け部３３の後端は、キャップ基部４０内の後方の縁部近傍に位置している。指掛け部３３は省略してもよいが、ユーザがレバー３２を押下しやすいように、レバー３２の回転方向に対して直交する向きに配置されていることが好ましい。
【００４５】
レバー３２の下面には、レバー３２の下面と筒部３１ｂの外周面とをつないでレバー３２を補強する補強板３４が設けられている。補強板３４は省略してもよいが、補強板３４の下端を筒部３１ｂの下端付近に配置することにより、ユーザがレバー３２を押下する力を、ステム２３を傾ける力に効率よく伝達することができる。
【００４６】
なお、図２に示したように、ユーザは、キャップ５０を途中まで開けた状態でレバー３２を操作してもよい。また、ユーザは、キャップ５０を手のひらで把持しなくてもレバー３２を操作可能であり、例えば容器体２１を把持してレバー３２を押下してもよい。さらにユーザは、キャップ５０をキャップ基部４０に対して開いて固定した状態で、内容物噴射容器２０の底面とキャップ５０の前端５０Ａとを机の上等、平らな箇所に置いてレバー３２を押下してもよい。
【００４７】
なお、噴射操作部３０には、押しボタンの押圧により内容物が噴射可能としたり、トリガーが引かれることにより内容物が噴射可能としたりするなど、レバー３２以外の操作方式を採用してもよい。本例のようにユーザが親指などの指でレバー３２を押下することで内容物を噴射する構成の内容物噴射ユニット１０では、ユーザがハンドル部を把持しながら連続してすばやくレバーを操作しても疲れにくい。そのため、この内容物噴射ユニット１０は、他の操作方式を採用した内容物噴射ユニットよりもユーザにとってハンドル部を把持しながらの操作が容易である。
【００４８】
本例のキャップ５０は、上述の通り、略筐体の形状をしているため、ユーザにとって手のひら内におさまって把持しやすい形状であるが、キャップの形状はこれに限らない。キャップは、上面からみた形状が円形や多角形など、矩形以外の形状であってもよいし、キャップ部およびハンドル部として機能することができれば、前面と上面のみを有する形状などであってもよい。
【００４９】
本例のキャップ基部４０は、前方側の壁が後方側の壁よりもやや低くなっている。また、キャップ基部４０の孔部４３は、ステム貫通孔４２ｂと回転軸４４とで挟まれる位置に設けられており、後方側に向かうにつれて上方に向かうように、ステム２３の軸方向に対して傾いて開けられている。しかし、キャップ基部４０の形状はこれに限られない。例えば、切り欠き５２の長さと、突起５３が孔部４３に入る位置を変えることにより、キャップ５０がキャップ基部４０に対して回転可能な角度を変更してもよい。
【００５０】
内容物噴射ユニット１０は、噴射操作部３０、キャップ基部４０、キャップ５０の３つの部材から構成されるため、部品点数が少なく、製造が容易である。なお、上述した内容物噴射ユニット１０において使用されるこれらの部材は、例えば、噴射操作部３０とキャップ基部４０の接点４６ａをヒンジで接続するなどにより一体となって構成されていてもよく、その場合、内容物噴射ユニット１０を１つの部材から作製することができる。
【００５１】
噴射操作部３０、キャップ基部４０、キャップ５０の材質としては、ポリプロピレン、高密度ポリエチレンなどの樹脂を使用することができる。
【００５２】
内容物噴射ユニット１０は、バルブ上に着脱可能な構成であるため、従来の容器体に対しても容易に着脱させることができ、上述したような効果を有する内容物噴射容器２０を提供することができる。
【００５３】
ここで、内容物噴射ユニット１０が備えられた定量噴射容器２０の全体構成について補足する。
【００５４】
容器体２１は、中心軸を中心とした回転体である。容器体２１に収納される内容物には、用途に応じた薬剤成分、溶剤、その他の添加物を必要に応じて適宜混合した液剤を含む。また内容物には、液剤に加えて、液剤を噴射させるための噴射剤として、液化ガスや液剤に可溶な圧縮ガスを含む。
【００５５】
バルブ２２は、容器体２１の上部開口を覆うマウンテンカップ２２ｂを備え、マウンテンカップ２２ｂの中央（容器体２１の中心軸上）に、ステム２３が設けられている。ステム２３は、上部の一部がバルブ２２より外側に位置し、残部が容器体２１内に位置しており、不図示のばねにより上方に付勢されている。
【００５６】
定量噴射容器２０を構成する各部品は、内容物によって侵されない材料であれば、特に断らない限り、一般的な容器に用いられるプラスチック、ゴム、金属、セラミックス等の材料から用途に合わせて任意の材料を選択して用いることができる。
【符号の説明】
【００５７】
１０…内容物噴射ユニット、２０…噴射容器、２１…容器体、２２…バルブ、２３…ステム、３０…噴射操作部、３１…ステム挿入筒、３２…レバー、３５…噴射口、４０…キャップ基部、４４…回転軸、４６ａ…開口部、５０…キャップ
【図１】
2020039718.tif 000003
【図２】
2020039718.tif 000004
【図３】
2020039718.tif 000005
【図４】
2020039718.tif 000006
【図５】
2020039718.tif 000007
【図６】
2020039718.tif 000008
【国際調査報告】
2020039718.tif 000009
2020039718.tif 000010
2020039718.tif 000011
2020039718.tif 000012